(57)【特許請求の範囲】
【請求項１】
建造物の出入口に配設され、洪水時に該出入口からの建造物内への浸水を防止する防水装置において、
建造物の出入口の中央側に臨む上下方向の案内溝を備え、建造物の出入口の左右側壁に夫々設置された既設シャッターのガイドレールに、保持手段を介して着脱可能に保持されて、建造物の出入口の左右両側に夫々立設される左右一対の案内枠杆と、
該両案内枠杆の案内溝に左右両端部が上方から嵌挿されて両案内枠杆間に横架され、建造物の出入口を遮蔽する単一または複数の止水板と
を備えてなることを特徴とする防水装置。
【請求項２】
ガイドレールが、建造物の出入口の中央側に臨む上下方向の開口部を備えた断面略Ｃ字形の筒状材からなるものにおいて、
案内枠杆の保持手段が、
案内溝の奥底部に形成された挿通孔に雄螺子部が挿通される固定ボルトと、
該固定ボルトの雄螺子部に螺装されてガイドレール内に配置され、固定ボルトの緊締方向への回転操作によりその螺進作用を介してガイドレールの開口部の口縁に内面側から圧接する固定部材と、
前記固定ボルトの回転に伴って回動する固定部材を、ガイドレールの開口部の口縁に内面側から圧接可能な圧接位置と、ガイドレールの開口部を通過可能な通過位置とに位置決める位置決め手段とからなることを特徴とする請求項１記載の防水装置。
【請求項３】
ガイドレールが、建造物の出入口の中央側に臨む上下方向の開口部を備えた断面略Ｃ字形の筒状材からなり、かつ建造物の出入口の左右側壁上に夫々露出して設置されたものにおいて、
案内枠杆の保持手段が、
案内枠杆の背面側に突設されてガイドレールに外嵌される前後一対の側壁縁と、
一方の側壁縁に形成された螺子孔に進退可能に螺合されて先端がガイドレールに当接され、その螺進作用を介してガイドレールを押圧して他方の側壁縁を相対的にガイドレールに圧接させる緊締ボルトとからなることを特徴とする請求項１記載の防水装置。
【請求項４】
案内溝を構成する前後一対の側壁縁の、その一方の側壁縁に形成された螺子孔に進退可能に螺合されて先端が止水板に当接され、その螺進作用を介して止水板を押圧して該止水板の端部を他方の側壁縁に圧接させる緊締ボルトからなる止水板の固定手段を備えていることを特徴とする請求項１乃至請求項３の何れかに記載の防水装置。
【発明の詳細な説明】
【技術分野】
【０００１】
本発明は、建物，地下鉄，地下街等の建造物の出入口に配設して、洪水時における建造物内への浸水を防止する防水装置に関する。
【背景技術】
【０００２】
集中豪雨や高潮による洪水の発生時に、建造物の出入口からの浸水を防止するための一般的な防水装置としては、建造物の出入口の左右側壁に凹溝を対向状に設け、該凹溝に両端部が上方から嵌挿される防水板によって出入口を遮蔽するように構成したもの（例えば、特許文献１参照）が知られている。
【特許文献１】特開２００３−２７８４５８号公報
【発明の開示】
【発明が解決しようとする課題】
【０００３】
ところで、上述の従来構成にあっては、凹溝を備えた専用の溝付支柱を、建造物の出入口の左右側壁に恒常的に設置する取付け工事を予め行わなければならない上、該溝付支柱は出入口の側壁から突出した状態で取付けられるものであるため、防水板によって出入口を遮蔽しない平常時においては、側壁から突出した溝付支柱によって出入口の有効開口幅が狭められるとともに、通行の邪魔になり、さらには、台車の衝突等の何らかの要因によって溝付支柱に変形が生じると、防水板の端部の嵌挿が困難となるという問題点があった。
【０００４】
本発明は、かかる従来の問題点に鑑みてなされたものであって、溝付支柱を恒常的に設置する取付け工事を不要にするとともに、該溝付支柱が出入口の側壁から突出した状態で取付けられることにより発生する種々の問題点を解消し得る防水装置を提供することを目的とするものである。
【課題を解決するための手段】
【０００５】
本発明は、建造物の出入口に配設され、洪水時に該出入口からの建造物内への浸水を防止する防水装置において、建造物の出入口の中央側に臨む上下方向の案内溝を備え、建造物の出入口の左右側壁に夫々設置された既設シャッターのガイドレールに、保持手段を介して着脱可能に保持されて、建造物の出入口の左右両側に夫々立設される左右一対の案内枠杆と、該両案内枠杆の案内溝に左右両端部が上方から嵌挿されて両案内枠杆間に横架され、建造物の出入口を遮蔽する単一または複数の止水板とを備えてなることを特徴とする防水装置である。
【０００６】
ここで、本発明にかかる防水装置は、シャッターが設置されている建造物の出入口に適用されるものであり、出入口の左右側壁に配置された既設シャッターのガイドレールを利用して案内枠杆の取付けを行うものである。
【０００７】
前記ガイドレールが、建造物の出入口の中央側に臨む上下方向の開口部を備えた断面略Ｃ字形の筒状材からなるものにおいては、前記案内枠杆の保持手段を、案内溝の奥底部に形成された挿通孔に雄螺子部が挿通される固定ボルトと、該固定ボルトの雄螺子部に螺装されてガイドレール内に配置され、固定ボルトの緊締方向への回転操作によりその螺進作用を介してガイドレールの開口部の口縁に内面側から圧接する固定部材と、前記固定ボルトの回転に伴って回動する固定部材を、ガイドレールの開口部の口縁に内面側から圧接可能な圧接位置と、ガイドレールの開口部を通過可能な通過位置とに位置決める位置決め手段とからなるものとする構成が提案される。
【０００８】
また、ガイドレールが、建造物の出入口の中央側に臨む上下方向の開口部を備えた断面略Ｃ字形の筒状材からなり、かつ建造物の出入口の左右側壁上に夫々露出して設置されたものにおいては、前記案内枠杆の保持手段を、案内枠杆の背面側に突設されてガイドレールに外嵌される前後一対の側壁縁と、一方の側壁縁に形成された螺子孔に進退可能に螺合されて先端がガイドレールに当接され、その螺進作用を介してガイドレールを押圧して他方の側壁縁を相対的にガイドレールに圧接させる緊締ボルトとからなるものとする構成が提案される。
【０００９】
さらに、案内溝を構成する前後一対の側壁縁の、その一方の側壁縁に形成された螺子孔に進退可能に螺合されて先端が止水板に当接され、その螺進作用を介して止水板を押圧して該止水板の端部を他方の側壁縁に圧接させる緊締ボルトからなる止水板の固定手段を備えている構成が提案される。
【発明の効果】
【００１０】
本発明は、上述したように、建造物の出入口の中央側に臨む上下方向の案内溝を備え、建造物の出入口の左右側壁に夫々設置された既設シャッターのガイドレールに、保持手段を介して着脱可能に保持されて、建造物の出入口の左右両側に夫々立設される左右一対の案内枠杆と、該両案内枠杆の案内溝に左右両端部が上方から嵌挿されて両案内枠杆間に横架され、建造物の出入口を遮蔽する単一または複数の止水板とを備えた防水装置であるから、案内枠杆を既設シャッターのガイドレールに保持手段を介して保持させて、建造物の出入口の左右両側に夫々立設し、該両案内枠杆の案内溝に止水板の左右両端部を上方から嵌挿して両案内枠杆間に止水板を横架すると、該止水板によって建造物の出入口が遮蔽されて、洪水時における建造物内への浸水を防止することができる。また、案内枠杆は保持手段を介して既設シャッターのガイドレールに対して着脱可能に保持されるものであるため、不使用時にはガイドレールから取り外すことができる。これにより、従来のように溝付支柱を建造物の出入口の左右側壁に恒常的に設置する取付け工事を不要にすることができる。また、このように、案内枠杆を不使用時にガイドレールから取り外すことができるので、止水板によって出入口を遮蔽しない平常時において、該案内枠杆が出入口の側壁から突出することがない。これにより、出入口の有効開口幅が狭められたり、通行の邪魔になったりすることがなく、さらに、台車の衝突等の何らかの要因によって案内枠杆が変形して止水板の端部の嵌挿が困難となることもない。
【００１１】
前記ガイドレールが、建造物の出入口の中央側に臨む上下方向の開口部を備えた断面略Ｃ字形の筒状材からなるものにおいて、前記案内枠杆の保持手段を、案内溝の奥底部に形成された挿通孔に雄螺子部が挿通される固定ボルトと、該固定ボルトの雄螺子部に螺装されてガイドレール内に配置され、固定ボルトの緊締方向への回転操作によりその螺進作用を介してガイドレールの開口部の口縁に内面側から圧接する固定部材と、前記固定ボルトの回転に伴って回動する固定部材を、ガイドレールの開口部の口縁に内面側から圧接可能な圧接位置と、ガイドレールの開口部を通過可能な通過位置とに位置決める位置決め手段とからなるものとする構成にあっては、案内枠杆の背面をガイドレールの開口部を備えた開口面に宛がって、固定ボルトの雄螺子部に螺装された固定部材をガイドレール内に挿入し、この状態で固定ボルトを緊締方向へ回転操作すると、該固定ボルトの回転に伴って回動する固定部材が位置決め手段を介して圧接位置に位置決められるとともに、該固定部材が螺進作用を介してガイドレールの開口部の口縁に内面側から圧接することにより、案内枠杆をガイドレールに保持させることができる。また、この案内枠杆の保持状態において、固定ボルトを弛緩方向へ回転操作すると、先ず、ガイドレールの開口部の口縁に対する固定部材の圧接が解除され、この圧接解除と同時に固定部材が回動可能となる。そして、固定ボルトの回転により回動する固定部材が、ガイドレールの開口部を通過可能な通過位置に位置決め手段を介して位置決められることにより、固定部材を開口部から離脱させて、案内枠杆をガイドレールから取り外すことができる。これにより、ガイドレールに対する案内枠杆の着脱を容易に行うことができる。
【００１２】
また、ガイドレールが、建造物の出入口の中央側に臨む上下方向の開口部を備えた断面略Ｃ字形の筒状材からなり、かつ建造物の出入口の左右側壁上に夫々露出して設置されたものにおいて、前記案内枠杆の保持手段を、案内枠杆の背面側に突設されてガイドレールに外嵌される前後一対の側壁縁と、一方の側壁縁に形成された螺子孔に進退可能に螺合されて先端がガイドレールに当接され、その螺進作用を介してガイドレールを押圧して他方の側壁縁を相対的にガイドレールに圧接させる緊締ボルトとからなるものとする構成にあっては、案内枠杆の背面側に突設された前後一対の側壁縁をガイドレールに外嵌した状態で、一方の側壁縁に螺合された緊締ボルトを緊締方向へ回転操作すると、該緊締ボルトの先端と他方の側壁縁とでガイドレールが挟圧されることとなり、これによって案内枠杆をガイドレールに保持させることができる。また、この保持状態において、緊締ボルトを弛緩方向へ回転操作すると、ガイドレールに対する挟圧が解除され、案内枠杆をガイドレールから取り外すことができる。これにより、ガイドレールに対する案内枠杆の着脱を容易に行うことができる。
【００１３】
さらに、案内溝を構成する前後一対の側壁縁の、その一方の側壁縁に形成された螺子孔に進退可能に螺合されて先端が止水板に当接され、その螺進作用を介して止水板を押圧して該止水板の端部を他方の側壁縁に圧接させる緊締ボルトからなる止水板の固定手段を備えている構成にあっては、緊締ボルトの緊締方向への回転操作によって、案内溝に嵌挿した止水板の端部を確実に固定することができる。
【発明を実施するための最良の形態】
【００１４】
以下に、本発明にかかる防水装置の第一実施例を、図１〜図７に基づいて説明する。
防水装置１は、図１，図２に示すように、既設シャッター２を備えた建造物の出入口３に配設されるものであり、該出入口３の左右側壁４，４には既設シャッター２のガイドレール５，５が設置されている。各ガイドレール５，５は、上下方向に延在する開口部６（図５（ａ）参照）を備えた断面略Ｃ字形の筒状材からなり、該開口部６を出入口３の中央側に臨ませた状態で、その大部分が前記左右側壁４，４内に夫々埋設されている。既設シャッター２は該ガイドレール５，５の開口部６，６に両側縁が係合されており、その案内作用を介して上下方向に摺動し得るようになっている。
【００１５】
防水装置１は、左右一対の案内枠杆７，７と、該案内枠杆７，７間に横架されて建造物の出入口３を遮蔽する複数の止水板８を備えている。案内枠杆７，７は、断面略コ字形を呈し、上下方向に長尺なアルミニウム等の金属製型材を用いて所定長さに形成されており、後述する保持手段を介して前記ガイドレール５，５に着脱可能に保持されることにより、建造物の出入口３の両側に夫々立設される。
【００１６】
各案内枠杆７，７の内端側には、図５（ａ），（ｂ）に示すように、前後一対の側壁縁９ａ，９ｂが内側方に向けて突成されており、該側壁縁９ａ，９ｂと奥底部１０とによって建造物の出入口３の中央側に臨む凹溝状の案内溝１１が上下方向に沿って形成されている。該側壁縁９ａ，９ｂの内、その一方の側壁縁９ａには、複数の螺子孔１２が上下方向に所定間隔で形成されている。各螺子孔１２は、前記案内溝１１に端部が上方から嵌挿されて上下方向に積み重ねられる複数の止水板８の夫々の高さ位置（図３参照）に対応しており、各螺子孔１２には蝶ボルトからなる緊締ボルト１３が夫々進退可能に螺合されている。各緊締ボルト１３は、その螺進作用を介して各止水板８を押圧し、各止水板８の端部を他方の側壁縁９ｂに圧接させる作用を生じるものであり、この各緊締ボルト１３によって、各止水板８の左右両端部を案内枠杆７，７に夫々固定する固定手段が構成されている。また、他方の側壁縁９ｂの内側面には、各止水板８の端部に当接可能な止水パッキン１４が上下方向に沿って配設されている。
【００１７】
各止水板８は、アルミニウム等の金属製型材によって左右方向に長尺な矩形状に形成されており、その長さは、建造物の出入口３の両側に夫々立設された案内枠杆７，７の、その案内溝１１，１１に左右両端部を上方から嵌挿し得る所定の長さに設定されている。ここで、上下方向で隣接する各止水板８，８相互の当接端縁には、図４（ａ）に示すように、上下で対向する嵌合凹溝１５，１５がその長手方向に沿って形成されており、該嵌合凹溝１５，１５に止水パッキン１６が嵌合されている。該止水パッキン１６は、何れか一方の嵌合凹溝１５に固着されて止水板８の端縁から突出されており、各止水板８，８相互を積み重ねると、前記止水パッキン１６の突出部分が他方の止水板８の嵌合凹溝１５に嵌合されるようになっている。これによって、上下方向で隣接する各止水板８，８間の水密が図られている。また、最下部に位置する止水板８の下端縁に配設された止水パッキン１６は、図４（ｂ）に示すように、その突出部分が床面１７に圧接するようになっており、これによって、最下部の止水板８と床面１７との間の水密が図られている。
【００１８】
各案内枠杆７の案内溝１１の奥底部１０には、図５（ａ），（ｂ）に示すように、挿通孔１８が形成されている。この挿通孔１８の形成箇所は各案内枠杆７の上下両端近傍部を含む複数箇所となっている。各挿通孔１８には案内溝１１の奥底部１０から案内枠杆７の外端側に向けて固定ボルト１９の雄螺子部２０が夫々挿通されており、各固定ボルト１９の雄螺子部２０には固定部材２１が夫々螺装されている。また、雄螺子部２０には、両端が固定部材２１の背面と、雄螺子部２０の先端に配設された鍔縁２８とに当接するコイルバネ２９が圧縮状態で外嵌されている。また、奥底部１０の外端には、ガイドレール５の開口部６の口縁に外面側から圧接可能な止水パッキン３４，３４が上下方向に沿って配設されている。
【００１９】
各固定部材２１は、図６（ａ），（ｂ）に示すように、前記雄螺子部２０と螺合される螺子孔２２が中央に形成された略扇形状の基板部２３と、該基板部２３の上下側縁から外方に向けて延成された一対の脚板部２４ａ，２４ｂと、該脚板部２４ａ，２４ｂの外端から上下方向に延成され、かつその端部が内方に曲成されたＬ形の当接板部２５，２５とを備えている。該固定部材２１の基板部２３と一方の脚板部２４ａには、螺子孔２２を中心にして円弧状に切欠された回動案内面２６が形成されており、該回動案内面２６に当接するストッパー縁２７（図５（ａ），（ｂ）参照）が前記案内枠杆７の外端側に上下方向に沿って突設されている。ここで、固定部材２１の横幅Ｗ1は、図７（ａ）に示すように、ガイドレール５の開口部６の開口幅Ｗ2より小さく、また、固定部材２１の長さＬは、図７（ｃ）に示すように、ガイドレール５の開口部６の開口幅Ｗ2より大きくなるように設定されている。これにより、固定ボルト１９の雄螺子部２０に螺装された固定部材２１は、図７（ａ）に示すように、上下方向に沿う立ち姿勢で、ガイドレール５の開口部６を通過可能であり、水平方向に沿う横臥姿勢で、当接板部２５，２５の先端がガイドレール５の開口部６の口縁に内面側から圧接可能となっている。
【００２０】
そして、前記各固定部材２１は、図７（ａ）に示すように、固定ボルト１９の雄螺子部２０に螺装されて上下方向に沿う立ち姿勢で、開口部６からガイドレール５内に挿入され、固定ボルト１９の緊締方向（右回り方向）への回転操作により、図７（ｂ）に示すように、ストッパー縁２７と当接する回動案内面２６の案内作用を介して、裏面視において左回りに回動し、図７（ｃ）に示すように、回動案内面２６に連続する脚板部２４ａの外壁面２４ａ’がストッパー縁２７に当接するとそれ以上の回動が規制されて、当接板部２５，２５の先端がガイドレール５の開口部６の口縁に内面側から圧接可能な圧接位置に位置決められる。そして、この圧接位置に位置決められた状態で、固定ボルト１９がさらに緊締方向へ回転操作されると、その螺進作用を介して当接板部２５，２５の先端がガイドレール５の開口部６の口縁に内面側から圧接されることとなる。また、各固定部材２１は、前記圧接位置に位置決められた状態（図７（ｃ）参照）において、固定ボルト１９が弛緩方向（左回り方向）へ回転操作されると、裏面視において右回りに回動し、図７（ａ）に示すように、回動案内面２６に連続する基板部２３の側端面２３’がストッパー縁２７に当接するとそれ以上の回動が規制されて、ガイドレール５の開口部６を通過可能な通過位置に位置決められるようになっている。これにより、各固定部材２１を圧接位置と通過位置とに位置決める位置決め手段が構成されており、また、該位置決め手段と前記固定ボルト１９と固定部材２１とにより、案内枠杆７を既設シャッター２のガイドレール５に着脱可能に保持する保持手段が構成されている。
【００２１】
かかる構成にあって、案内枠杆７，７を既設シャッター２のガイドレール５，５に保持するには、案内枠杆７の背面をガイドレール５の開口部６を備えた開口面に宛がって、固定ボルト１９の雄螺子部２０に螺装された固定部材２１をガイドレール５内に挿入し、この状態で固定ボルト１９を緊締方向へ回転操作すると、該固定ボルト１９の回転に伴って回動する固定部材２１が位置決め手段を介して圧接位置に位置決められるとともに、該固定部材２１が螺進作用を介してガイドレール５の開口部６の口縁に内面側から圧接することにより、案内枠杆７をガイドレール５に保持させることができる。また、この案内枠杆７の保持状態において、固定ボルト１９を弛緩方向へ回転操作すると、先ず、ガイドレール５の開口部６の口縁に対する固定部材２１の圧接が解除され、この圧接解除と同時に固定部材２１が回動可能となる。そして、固定ボルト１９の回転により回動する固定部材２１が、ガイドレール５の開口部６を通過可能な通過位置に位置決め手段を介して位置決められることにより、固定部材２１を開口部６から離脱させて、案内枠杆７をガイドレール５から取り外すことができる。これにより、ガイドレール５に対する案内枠杆７の着脱を容易に行うことができる。
【００２２】
そして、上記のように、各案内枠杆７，７を既設シャッター２のガイドレール５，５に保持手段を介して保持させて、建造物の出入口３の左右両側に夫々立設した後、該両案内枠杆７，７の案内溝１１に止水板８の左右両端部を上方から嵌挿して両案内枠杆７，７間に止水板８を横架すると、該止水板８によって建造物の出入口３が遮蔽されて、洪水時における建造物内への浸水を防止することができる。また、案内枠杆７，７は保持手段を介して既設シャッター２のガイドレール５，５に対して着脱可能に保持されるものであるため、不使用時にはガイドレール５，５から取り外すことができる。これにより、従来のように溝付支柱を建造物の出入口３の左右側壁４，４に恒常的に設置する取付け工事を不要にすることができる。また、このように、案内枠杆７，７を不使用時にガイドレール５，５から取り外すことができるので、止水板８によって出入口３を遮蔽しない平常時において、該案内枠杆７，７が出入口３の左右側壁４，４から突出することがない。これにより、出入口３の有効開口幅が狭められたり、通行の邪魔になったりすることがなく、さらに、台車の衝突等の何らかの要因によって案内枠杆７，７が変形して止水板８の端部の嵌挿が困難となることもない。
【００２３】
図８は、本発明にかかる防水装置１の第二実施例を示し、この第二実施例は、案内枠杆７，７を既設シャッター２のガイドレール５，５に着脱可能に保持する保持手段を、各案内枠杆７の背面側に突設されてガイドレール５に外嵌される前後一対の側壁縁３０ａ，３０ｂと、一方の側壁縁３０ａに形成された螺子孔３１に進退可能に螺合されて先端がガイドレール５に当接され、その螺進作用を介してガイドレール５を押圧して他方の側壁縁３０ｂを相対的にガイドレール５に圧接させる緊締ボルト３２とよって構成したものである。また、他方の側壁縁３０ｂの内側面には、ガイドレール５の側面に当接可能な止水パッキン３３が上下方向に沿って配設されている。この構成からなる案内枠杆７の保持手段は、ガイドレール５が、建造物の出入口３の中央側に臨む上下方向の開口部６を備えた断面略Ｃ字形の筒状材からなり、かつ建造物の出入口３の左右側壁４，４上に夫々露出して設置されている場合に適用され得る。その他、第一実施例と同じ構成部分には、第一実施例と同じ符号を付して重複する説明を省略する。
【００２４】
かかる構成にあっては、案内枠杆７の背面側に突設された前後一対の側壁縁３０ａ，３０ｂをガイドレール５に外嵌した状態で、一方の側壁縁３０ａに螺合された緊締ボルト３２を緊締方向へ回転操作すると、該緊締ボルト３２の先端と他方の側壁縁３０ｂとでガイドレール５が挟圧されることとなり、これによって案内枠杆７をガイドレール５に保持させることができる。また、この保持状態において、緊締ボルト３２を弛緩方向へ回転操作すると、ガイドレール５に対する挟圧が解除され、案内枠杆７をガイドレール５から取り外すことができる。これにより、ガイドレール５に対する案内枠杆７の着脱を容易に行うことができる。
【００２５】
尚、上記第一実施例では、案内枠杆７，７の案内溝１１，１１に両端部が嵌挿される止水板８を上下方向に複数積み重ねて、建造物の出入口３を遮蔽するようにしているが、これに代えて、適宜の上下幅を有する単一の止水板８によって建造物の出入口３を遮蔽することも可能である。
【図面の簡単な説明】
【００２６】
【図１】第一実施例にかかる防水装置１によって建造物の出入口３を遮蔽した状態を示す正面図である。
【図２】同上の遮蔽状態の横断面図である。
【図３】同上の遮蔽状態の側断面図である。
【図４】（ａ）は上下方向で隣接する各止水板８，８相互の当接端縁の構成を示す拡大側断面図、（ｂ）は最下部に位置する止水板８の下端縁の構成を示す拡大側断面図である。
【図５】（ａ）は案内枠杆７をガイドレール５に保持する前の部分拡大断面図、（ｂ）は案内枠杆７をガイドレール５に保持した状態を示す部分拡大断面図である。
【図６】（ａ）は固定部材２１を上方から見た斜視図、（ｂ）は固定部材２１を下方から見た斜視図である。
【図７】固定部材２１の位置決め手段の作用説明図である。
【図８】第二実施例にかかる案内枠杆７の保持手段の構成を示す部分拡大断面図である。
【符号の説明】
【００２７】
１  防水装置
２  既設シャッター
３  出入口
４  側壁
５  ガイドレール
６  開口部
７  案内枠杆
８  止水板
９ａ，９ｂ  側壁縁
１０  奥底部
１１  案内溝
１２  螺子孔
１３  緊締ボルト（固定手段）
１８  挿通孔
１９  固定ボルト（保持手段）
２０  雄螺子部
２１  固定部材（保持手段）
３０ａ，３０ｂ  側壁縁（保持手段）
３１  螺子孔
３２  緊締ボルト（保持手段）
【図１】
0004774313.tif 000002
【図２】
0004774313.tif 000003
【図３】
0004774313.tif 000004
【図４】
0004774313.tif 000005
【図５】
0004774313.tif 000006
【図６】
0004774313.tif 000007
【図７】
0004774313.tif 000008
【図８】
0004774313.tif 000009